(57)【要約】【課題】カバーが邪魔になったり、折損したりすることを好適に抑制することができ、カバーを容易に開閉することができる。【解決手段】電源コンセント１０は、下側開口２３内においてコンセント本体４０の前面に沿ってスライド可能に設けられて差込口４１を開閉する外側カバー３１ｂ、及び外側壁２１に設けられた操作ボタン５１を備えている。また、電源コンセント１０は、操作ボタン５１と外側カバー３１ｂとの間に設けられて同操作ボタン５１に対する操作に従って外側カバー３１ｂをスライドさせる連動機構３５を備えている。【選択図】図２
2014075230.tif 000002
【特許請求の範囲】
【請求項１】
電源プラグの電極が差し込み可能な電源コンセントにおいて、
壁部の開口内に設けられて電源プラグの電極が差し込まれる差込口をその前面に有するコンセント本体と、
前記開口内においてコンセント本体の前面に沿ってスライド可能に設けられて前記差込口を開閉するカバーと、
前記壁部に設けられた操作部と、
前記操作部と前記カバーとの間に設けられて同操作部に対する操作に従って前記カバーをスライドさせる連動機構と、を備える、
ことを特徴とする電源コンセント。
【請求項２】
カバーの前面は壁部の前面と同一平面上に設けられている、
請求項１に記載の電源コンセント。
【請求項３】
請求項１又は請求項２に記載の電源コンセントにおいて、
前記差込口が開放される開放位置において前記カバーを保持する保持機構を備える、
ことを特徴とする電源コンセント。
【請求項４】
請求項３に記載の電源コンセントにおいて、
前記保持機構はハートカム式の機構であり、前記連動機構を介して前記カバーにより前記差込口が閉鎖される方向に前記操作部を付勢するばねを有し、前記ばねの付勢力を利用して前記カバーを開放位置と閉鎖位置とのいずれか一方において保持するように構成されている、
ことを特徴とする電源コンセント。
【請求項５】
前記カバーは互いに離間する方向にスライドして前記差込口を開放する一対のカバーからなる、
請求項１〜請求項４のいずれか一項に記載の電源コンセント。
【請求項６】
請求項５に記載の電源コンセントにおいて、
前記カバーの内側においてコンセント本体の前面に沿ってスライド可能に設けられ、互いに隣接する前記一対のカバー間の隙間を開閉する内側カバーを備える、
ことを特徴とする電源コンセント。
【請求項７】
請求項６に記載の電源コンセントにおいて、
前記連動機構は前記一対のカバーと前記内側カバーとを同時にスライドさせるように構成されている、
ことを特徴とする電源コンセント。
【請求項８】
請求項６及び請求項７に記載の電源コンセントにおいて、
前記差込口が開放される開放位置において前記一対のカバーと前記内側カバーとを保持する保持機構を備える、
ことを特徴とする電源コンセント。
【発明の詳細な説明】
【技術分野】
【０００１】
本発明は、電気器具等の電源プラグの電極が差し込み可能な電源コンセントに関する。
【背景技術】
【０００２】
従来、この種の電源コンセントとしては、例えば特許文献１に記載された構成がある。特許文献１に記載の電源コンセントでは、コンセント本体の前面に電源プラグの電極を差し込み可能な差込口が形成されている。また、コンセント本体の前側には上記差込口を開閉するカバーが設けられている。こうしたカバーとしては、コンセント本体の幅方向に沿って延びる軸を中心に回動可能に設けられているものや、コンセント本体の前面に沿ってスライド可能に設けられているものが開示されている。
【０００３】
そして、電源コンセントを使用する際には、使用者が指によってカバーを直接的に回動させたり、スライドさせたりすることにより上記差込口を開放して、コンセント本体の差込口に電源プラグの電極が差し込まれる。また、カバーにより上記差込口が閉鎖された状態においては、同差込口内に異物が入らないようになっている。
【先行技術文献】
【特許文献】
【０００４】
【特許文献１】特開２０００―３０１９９１号公報
【発明の概要】
【発明が解決しようとする課題】
【０００５】
ところで、こうした電源コンセントでは、軸を中心にカバーが回動可能に設けられている構成の場合、カバーが手前側に突出した状態で電源コンセントが使用されることとなる。また、コンセント本体の前面に沿ってカバーがスライド可能に設けられている構成の場合、カバーがコンセント本体よりも上方に突出した状態で電源コンセントが使用されることとなる。そのため、カバーが邪魔になったり、折損したりするおそれがある。また、カバーが使用者の指によって直接的に回動操作或いはスライド操作されるものであるため、カバーの操作が煩雑なものとなるといった問題が生じる。
【０００６】
本発明の目的は、カバーが邪魔になったり、折損したりすることを好適に抑制することができ、カバーを容易に開閉することができる電源コンセントを提供することにある。
【課題を解決するための手段】
【０００７】
上記目的を達成するため、本発明に従う電源コンセントは、電源プラグの電極が差し込み可能なものであり、壁部の開口内に設けられて電源プラグの電極が差し込まれる差込口をその前面に有するコンセント本体と、前記開口内においてコンセント本体の前面に沿ってスライド可能に設けられて前記差込口を開閉するカバーと、前記壁部に設けられた操作部と、前記操作部と前記カバーとの間に設けられて同操作部に対する操作に従って前記カバーをスライドさせる連動機構と、を備える。
【０００８】
同構成によれば、操作部に対する操作が行なわれると、当該操作に従って連動機構によりカバーがスライドされてコンセント本体の差込口が開閉される。ここで、カバーが開口内においてスライド可能なものとされるため、カバーが開口よりも手前側に突出することがない。従って、カバーが邪魔になったり、折損したりすることを好適に抑制することができ、カバーを容易に開閉することができる。
【図面の簡単な説明】
【０００９】
【図１】本発明の第１実施形態に係る電源コンセントの斜視図。
【図２】図１の２−２線に沿った断面図。
【図３】図２の３−３線に沿った断面図。
【図４】図２の４−４線に沿った断面図。
【図５】同実施形態におけるハートカムストッパ機構の断面図。
【図６】図３に対応する断面図であって、コンセント本体の差込口が開放されている状態を示す断面図。
【図７】図４に対応する断面図であって、コンセント本体の差込口が開放されている状態を示す断面図。
【図８】同実施形態の操作ボタンが押し込まれているときの電源コンセントの斜視図。
【図９】本発明の第２実施形態に係る電源コンセントの断面図であって図３に対応する断面図。
【図１０】本発明の第３実施形態に係る電源コンセントの断面図であって図３に対応する断面図。
【発明を実施するための形態】
【００１０】
＜第１実施形態＞
以下、図１〜図８を参照して、本発明を車載用電源コンセントとして具体化した第１実施形態について説明する。
【００１１】
図１及び図２に示すように、車両のセンタコンソールの外側壁２１及びその裏面側には電源コンセント１０のケース２０が形成されている。このケース２０を構成する外側壁２１には、同図の左右方向に長い略矩形状の上側開口２２及び下側開口２３が上下に離間して並設されている。上側開口２２内には操作ボタン５１が出没方向に移動可能に挿入されている。下側開口２３内にはその幅方向に沿って一対の外側カバー３１ａが並設されており、これら外側カバー３１ａの間には上記幅方向に沿って一対の外側カバー３１ｂが並設されている。これら外側カバー３１ａはレール溝２４ａを介して上記幅方向に沿ってスライド可能に設けられている。
【００１２】
図２、図３に示すように、ケース２０内にはコンセント本体４０が設けられている。コンセント本体４０の前面側の部位には上下方向に長い２つの差込口４１が形成されている。
【００１３】
コンセント本体４０内には各差込口４１と対応するように金属製の板ばねからなる接続端子４２が設けられている。この接続端子４２は固定端子４２ａを介して電源装置に接続される。
【００１４】
各外側カバー３１ａ，３１ｂの前面である意匠面はケース２０の外側壁２１の前面である意匠面２１ａと同一平面上に位置している。
外側カバー３１ａ，３１ｂの内側（図２、図３における右側）にはレール溝２４ｂを介して一対の内側カバー３２が上記幅方向に沿ってスライド可能に設けられている。各内側カバー３２により、ケース２０と外側カバー３１ａとの間の隙間と、互いに隣接する外側カバー３１ａ，３１ｂ間の隙間との双方が閉鎖されている。尚、コンセント本体４０の前面に突部４３が形成されており、同突部４３によって中央側の一対の外側カバー３１ｂ間の隙間が閉鎖されている。
【００１５】
図２、図４に示すように、各外側カバー３１ａ，３１ｂ及び内側カバー３２の裏面側の上端部からは後方に向けてアーム部１３７ａ，１３７ｂ，１３８が突設されており、各アーム部１３７ａ，１３７ｂ，１３８には長孔１３１ａ，１３１ｂ，１３２が形成されている。
【００１６】
外側カバー３１ａの長孔１３１ａは後部側ほど下側開口２３の中央寄りに位置するように傾斜している。外側カバー３１ｂの長孔１３１ｂは後部側ほど下側開口２３の外側寄りに位置するように傾斜している。内側カバー３２の長孔１３２は後部側ほど下側開口２３の中央寄りに位置するように傾斜している。
【００１７】
ここで、長孔１３２の傾き角度は長孔１３１ａの傾き角度よりも大きくされ、長孔１３１ａの傾き角度は長孔１３１ｂの傾き角度よりも大きくされている。
図２及び図４に示すように、操作ボタン５１の下面には下方に向けて６つの連動ピン５２が突設されている。これら連動ピン５２は各長孔１３１ａ，１３１ｂ，１３２にそれぞれ嵌合されている。このため、各長孔１３１ａ，１３１ｂ，１３２の作用により、操作ボタン５１の出没方向への移動に伴って各外側カバー３１ａ，３１ｂ及び内側カバー３２が上記幅方向にスライドする。このとき、内側カバー３２の長孔１３２の傾斜角度が他の長孔１３１ａ，１３１ｂより大きいため、内側カバー３２の移動量は外側カバー３１ａ，３１ｂのそれより大きくなっている。これら操作ボタン５１の連動ピン５２と各外側カバー３１ａ，３１ｂ，３２の長孔１３１ａ，１３１ｂ，１３２とによって各外側カバー３１ａ，３１ｂ及び内側カバー３２をスライドさせる連動機構３５が構成される。
【００１８】
図２に示すように、ケース２０には操作ボタン５１が押し込まれた際に操作ボタン５１を奥側の位置にて保持する保持機構５０が設けられている。操作ボタン５１と内側壁２９との間には操作ボタン５１を上側開口２２側に向けて付勢するばね５３が設けられている。操作ボタン５１の上面には係合ピン５４が取り付けられており、同係合ピン５４に対向するケース２０の内壁には同係合ピン５４に係合可能な係合突部５５が形成されている。係合突部５５は図５に示されるハートカム形状を有しており、これらばね５３、係合ピン５４、及び係合突部５５によってハートカム式の保持機構５０が構成されている。
【００１９】
次に、本実施形態の作用について説明する。
図３及び図４では、操作ボタン５１がばね５３の付勢力により前方側に位置するとともに係合ピン５４が係合突部５５の前側係合部５５ａに係合しており、操作ボタン５１は前方位置にて保持されている。この状態においては、各長孔１３１ａ，１３１ｂ，１３２と操作ボタン５１の連動ピン５２との係合により、外側カバー３１ａ，３１ｂはそれらの間と、下側開口２３の側縁との間に隙間Ｗ１を設けた略等間隔位置にて保持される。また、内側カバー３２は差込口４１の前側において外側カバー３１ａ，３１ｂ間の隙間を閉鎖する位置にて保持される。従って、差込口４１は内側カバー３２によって閉鎖された状態に維持される。
【００２０】
この閉鎖状態において、使用者によって操作ボタン５１が押し込まれると、図５に二点鎖線にて示されるように係合ピン５４が係合突部５５の後側係合部５５ｂに係合されることで、操作ボタン５１が奥側の位置にて保持される。このため、操作ボタン５１の変位に伴って各連動ピン５２が各長孔１３１ａ，１３１ｂ，１３２内を奥側に変位すると、各長孔１３１ａ，１３１ｂ，１３２の作用により、各外側カバー３１ａ，３１ｂ，３２は図６、図７に示される位置まで変位することとなる。すなわち、外側カバー３１ａは下側開口２３の外側に向けてそれぞれ変位する。また、外側カバー３１ｂは下側開口２３の中央に向けてそれぞれ変位する。また、内側カバー３２は下側開口２３の外側に向けてそれぞれ変位する。
【００２１】
その結果、図６、図７に示すように、各差込口４１に対応する部分Ｓが開放される。そして、図８に示すように、差込口４１へ電源プラグ６０の電極６１を差し込むことが可能となる。
【００２２】
電源プラグ６０を電源コンセント１０から外す場合には、その電源プラグ６０をコンセント本体４０から抜き、操作ボタン５１をばね５３の付勢力に抗して押せばよい。このようにすれば、係合突部５５の傾斜面５５ｃの作用によって係合ピン５４が後側係合部５５ｂから前側係合部５５ａに案内されて同前側係合部５５ａにて保持される。従って、連動ピン５２と長孔１３１ａ，１３１ｂ，１３２との係合を介して外側カバー３１ａ，３１ｂ及び内側カバー３２が図３及び図４の位置に移動されて、コンセント本体４０の差込口４１が閉鎖される。
【００２３】
以上説明した本実施形態に係る電源コンセントによれば、以下に示す効果が得られるようになる。
（１）電源コンセント１０は、下側開口２３内においてコンセント本体４０の前面に沿ってスライド可能に設けられて差込口４１を開閉する外側カバー３１ａ，３１ｂ、及び外側壁２１に設けられた操作ボタン５１を備えている。また、電源コンセント１０は、操作ボタン５１と外側カバー３１ａ，３１ｂとの間に設けられて同操作ボタン５１に対する操作に従って外側カバー３１ａ，３１ｂをスライドさせる連動機構３５を備えている。こうした構成によれば、外側カバー３１ａ，３１ｂが下側開口２３内においてスライド可能なものとされるため、外側カバー３１ａ，３１ｂが下側開口２３よりも手前側に突出することがない。従って、外側カバー３１ａ，３１ｂが邪魔になったり、折損したりすることを好適に抑制することができ、外側カバー３１ａ，３１ｂを容易に開閉することができる。
【００２４】
（２）各外側カバー３１ａ，３１ｂの意匠面はケース２０の外側壁２１の意匠面２１ａと同一平面上に設けられている。このため、こうしたカバーが外側壁の意匠面の奥側に位置する構成に比べて外側壁２１の意匠面２１ａとコンセント本体４０の差込口４１との距離を短くすることができ、電源コンセント１０に対して電源プラグ６０の電極６１を奥まで差し込むことができる。
【００２５】
（３）一対の外側カバー３１ａ，３１ｂは互いに離間する方向にスライドして差込口４１を開放するものとされているため、各外側カバー３１ａ，３１ｂのスライド量を小さくすることができる。
【００２６】
（４）外側カバー３１ａ，３１ｂの内側においてコンセント本体４０の前面に沿ってスライド可能に設けられ、互いに隣接する外側カバー３１ａ，３１ｂ間の隙間を開閉する内側カバー３２が設けられている。こうした構成によれば、電源コンセント１０が使用されないときには内側カバー３２によって互いに隣接する外側カバー３１ａ，３１ｂ間の隙間を閉塞することができる。従って、これらの隙間を通じて差込口４１内に異物が入ることを防止することができる。また、これら隙間が閉鎖されることから電源コンセント１０の見栄えが向上する。
【００２７】
（５）電源コンセント１０が使用されないときには、各外側カバー３１ａ，３１ｂ間及び外側カバー３１ａと下側開口２３の側縁との間に均等な隙間Ｗ１が形成されるため、電源コンセント１０の見栄えが向上する。
【００２８】
（６）連動機構３５は各外側カバー３１ａ，３１ｂと内側カバー３２とを同時にスライドさせるように構成されているため、１つの操作ボタン５１によって全てのカバー３１ａ，３１ｂ，３２を同時に開閉することができる。
【００２９】
（７）差込口４１が開放される開放位置において外側カバー３１ａ，３１ｂと内側カバー３２とを保持するハートカム式の保持機構５０が設けられている。こうした構成によれば、操作ボタン５１を押圧する操作を通じて各カバー３１ａ，３１ｂ，３２が開放位置において保持される。また、この状態において操作ボタン５１の操作を再度行なうことにより開放位置での各カバー３１ａ，３１ｂ，３２の保持が解除され、ばね５３の付勢力によって各カバー３１ａ，３１ｂ，３２が閉鎖位置に復帰する。従って、操作ボタン５１の単純な操作によって各カバー３１ａ，３１ｂ，３２を開閉することができ、電源コンセント１０の操作性を向上させることができる。しかも、本実施形態によれば、１つの差込口４１を２つの外側カバー３１ａ，３１ｂによって開閉するようにしているため、閉鎖位置と開放位置との間の各カバー３１ａ，３１ｂのスライド量が小さくなり、操作ボタン５１の押し込み量が小さくて済む。
【００３０】
＜第２実施形態＞
以下、図９を参照して、本発明を車載用電源コンセントとして具体化した第２実施形態について説明する。
【００３１】
図９に示すように、本実施形態では、第１実施形態の内側カバー３２が省略されている。また、その他の構成については第１実施形態の構成と基本的には同一であるため、第１実施形態の符号に対して「２００」を加算した符号を付すことにより重複する説明を省略する。
【００３２】
以上説明した本実施形態に係る電源コンセントによれば、先の第１実施形態の効果（１）、（２）、（４）、（５）に準じた効果に加えて、新たに以下の効果を奏することができる。
【００３３】
（６）本実施形態によれば、内側カバーが存在しないために、先の第１実施形態に比べて部品点数が少なくなるため、電源コンセント２１０の構成が簡易なものとなる。尚、本実施形態においては、内側カバーが存在しないために、外側カバー２３１ａ，２３１ｂの閉鎖時に各差込口２４１の前方に隙間が形成されることとなる。しかしながら、これらの隙間は各差込口２４１の幅よりも小さいために、各差込口２４１内への異物が入ることを抑制することができる。
【００３４】
＜第３実施形態＞
以下、図１０を参照して、本発明を車載用電源コンセントとして具体化した第３実施形態について説明する。
【００３５】
図１０に示すように、本実施形態では、第２実施形態における下側開口２２３の中央側の外側カバー２３１ｂが省略され、下側開口３２３の外側において差込口４１を開閉する一対の外側カバー３３１のみが設けられている。また、コンセント本体３４０の中央部３４３を外側カバー３３１間に突出させている。また、その他の構成については第２実施形態の構成と基本的には同一であるため、第２実施形態の符号に対して「１００」を加算した符号を付すことにより重複する説明を省略する。
【００３６】
本実施形態によれば、先の第２実施形態に比べて更に部品点数が少なくなるため、電源コンセント３１０の構成が簡易なものとなる。
＜変形例＞
尚、本発明に係る電源コンセントは、上記実施形態にて例示した構成に限定されるものではなく、これを適宜変更した例えば次のような形態として実施することもできる。
【００３７】
・電源コンセントはセンターコンソールに設けられるものに限られるものではなく、インストルメントパネル等の車室内の他の部位に設けるようにしてもよい。また、本発明は車載用の電源コンセントに限られるものではなく、住宅用の電源コンセントに対しても本発明を適用することができる。
【００３８】
・上記第３実施形態では、第２実施形態の外側カバー２３１ｂを省略するようにしたが、これに代えて、第２実施形態の外側カバー２３１ａを省略するようにすることもできる。
【００３９】
・上記各実施形態では電源コンセント１０、２１０、３１０が、２つの電極６１を有する電源プラグ６０に対応して２つの差込口４１、２４１、３４１を有するものとしたが、本発明はこれに限られるものではない。すなわち、１つ或いは３つ以上の電極を有する電源プラグに対応した電源コンセントに対しても本発明を適用することができる。
【００４０】
・本発明は外側カバーの前面が壁部の前面と同一平面上に設けられるものに限定されない。他に、外側カバーの前面が壁部の前面よりも手前側或いは奥側に設けられるものであってもよい。
【符号の説明】
【００４１】
１０…電源コンセント、２０…ケース、２１…外側壁、２１ａ…意匠面、２２…上側開口、２３…下側開口、２４ａ，２４ｂ…レール溝、２９…内側壁、３１ａ，３１ｂ…外側カバー、１３１ａ，１３１ｂ，１３２…長孔、３２…内側カバー、３５…連動機構、１３７ａ，１３７ｂ，１３８…アーム部、４０…コンセント本体、４１…差込口、４２…接続端子、４２ａ…固定端子、４３…突部、５０…保持機構、５１…操作ボタン（操作部）、５２…連動ピン、５３…ばね、５４…係合ピン、５５…係合突部、５５ａ…前側係合部、５５ｂ…後側係合部、５５ｃ…傾斜面、６０…電源プラグ、６１…電極。
【図１】
2014075230.tif 000003
【図２】
2014075230.tif 000004
【図３】
2014075230.tif 000005
【図４】
2014075230.tif 000006
【図５】
2014075230.tif 000007
【図６】
2014075230.tif 000008
【図７】
2014075230.tif 000009
【図８】
2014075230.tif 000010
【図９】
2014075230.tif 000011
【図１０】
2014075230.tif 000012